【手続補正書】
【提出日】平成16年3月31日(2004.3.31)
【手続補正１】
【補正対象書類名】明細書
【補正対象項目名】特許請求の範囲
【補正方法】変更
【補正の内容】
【特許請求の範囲】
【請求項１】
感光材料を支持して所定の搬送方向へ案内するための感光材料処理装置用案内構造であって、
前記感光材料の搬送経路の下側に、前記搬送経路に沿って設けられたガイド板と、
前記ガイド板の適宜箇所に、それぞれ独立して回転可能に配設され、少なくとも外周部の一部が前記ガイド板の表面よりも前記感光材料の搬送経路側に突出したローラ状の回転体と、
を有する感光材料処理装置用案内構造。
【請求項２】
前記搬送路が下方へ突状となるように湾曲されているときに、前記ローラ状の回転体の配置密度が、前記搬送路の上流側及び下流側近傍が粗、中央部が密とされていることを特徴とする請求項１記載の感光材料処理装置用案内構造。
【請求項３】
前記ガイド板の前記適宜個所に前記ローラ状の回転体の回転軸を回転自在に収容可能な軸受部と、弾性変形することにより前記軸受部へ前記回転軸を収容して保持可能とする爪部と、が設けられていることを特徴とする請求項１又は請求項２記載の感光材料処理装置用案内構造。
【手続補正２】
【補正対象書類名】明細書
【補正対象項目名】０００６
【補正方法】変更
【補正の内容】
【０００６】
【課題を解決するための手段】
請求項１に記載の発明は、感光材料を支持して所定の搬送方向へ案内するための感光材料処理装置用案内構造であって、前記感光材料の搬送経路の下側に、前記搬送経路に沿って設けられたガイド板と、前記ガイド板の適宜箇所に、それぞれ独立して回転可能に配設され、少なくとも外周部の一部が前記ガイド板の表面よりも前記感光材料の搬送経路側に突出したローラ状の回転体と、を有している。


【手続補正３】
【補正対象書類名】明細書
【補正対象項目名】０００７
【補正方法】変更
【補正の内容】
【０００７】
請求項１に記載の発明によれば、コロローラなどのローラ状の回転体（以下、コロローラとする）を適宜個所に組み付けたガイド板を処理槽内などの感光材料の搬送経路に沿って設けるようにしたので、部品点数が少なくて済み、組み付け作業やメンテナンス時の取り外し作業を短時間で行うことができる。


【手続補正４】
【補正対象書類名】明細書
【補正対象項目名】０００８
【補正方法】変更
【補正の内容】
【０００８】
また、ガイド板に設けられたコロローラは、それぞれ独立して回転可能であり、感光材料が処理槽に挿入されてくると、ガイド板から突出している先端部に感光材料が接触したとき、感光材料の搬送力によって、回転を開始する。このため、感光材料とコロローラとの間で摺動は起こらず、この結果、感光材料を傷つけることはない。


【手続補正５】
【補正対象書類名】明細書
【補正対象項目名】０００９
【補正方法】変更
【補正の内容】
【０００９】
請求項２に記載の発明は、前記請求項１に記載の発明において、前記搬送路が下方へ突状となるように湾曲されているときに、前記ローラ状の回転体の配置密度が、前記搬送路の上流側及び下流側近傍が粗、中央部が密とされていることを特徴としている。


【手続補正６】
【補正対象書類名】明細書
【補正対象項目名】００１０
【補正方法】変更
【補正の内容】
【００１０】
請求項２に記載の発明によれば、感光材料の搬送中、感光材料の腰の強さによっては、ガイド板の上流側及び下流側では、感光材料がコロローラにほとんど接触しないことがある。このような部分にもコロローラを均等に配置するのは無駄なことである。例えば、感光材料としてＰＳ版を適用した場合、このＰＳ版はベースとしてアルミニウム板を用いることが多いため、比較的腰が強い。このため、処理槽の入口及び出口近傍では、コロローラに触れることがない。
そこで、この部分のコロローラは不要であるため、予め取り外しておく。これにより、部品点数を必要最小限とすることができる。また、取り外した部分が開口となれば、処理液の流動性も向上する。
請求項３に記載の発明は、請求項１又は請求項２の記載の発明において、前記ガイド板の前記適宜個所に前記ローラ状の回転体の回転軸を回転自在に収容可能な軸受部と、弾性変形することにより前記軸受部へ前記回転軸を収容して保持可能とする爪部と、が設けられていることを特徴としている。
請求項３に記載の発明によれば、コロローラを独立して着脱可能としており、これにより、処理される感光材料の搬送経路に応じて、配置密度を変更することができる。
【手続補正７】
【補正対象書類名】明細書
【補正対象項目名】００１６
【補正方法】変更
【補正の内容】
【００１６】
現像部２２は、上方が開口され底部中央部が下方に向けて突出された略逆山形状の処理槽であり、この現像部２２内には、ＰＳ版１２の搬送方向に沿った下側にガイド板１００が配設されている。図２に示されるように、ガイド板１００は、ＰＳ版１２の搬送方向で２分割されており、その間には串ローラ１１１が配設されている。


【手続補正８】
【補正対象書類名】明細書
【補正対象項目名】００１７
【補正方法】変更
【補正の内容】
【００１７】
ガイド板１００には、複数のローラ状の回転体としてコロローラ（小型のローラ）１０２が取付けられており、ＰＳ版１２は、このコロローラ１０２に接して案内されながら搬送されるようになっている。このとき、コロローラ１０２が回転するため、ＰＳ版１２に摺動による傷付きは発生しない。


【手続補正９】
【補正対象書類名】明細書
【補正対象項目名】００１８
【補正方法】変更
【補正の内容】
【００１８】
図１に示されるように、ガイド板１００は、現像部２２の形状に沿って逆山型形状とされ、その最低位置の下流側におけるＰＳ版１２の上面に対応する位置には、ブラシローラ１０６が配設されている。また、ガイド板１００の下流側の先端部には、ＰＳ版１２の下面に対応するようにブラシローラ１０８が配設されている。


【手続補正１０】
【補正対象書類名】明細書
【補正対象項目名】００２４
【補正方法】変更
【補正の内容】
【００２４】
さらに、液面蓋５０は、上部がカバーの下面に形成された溝に嵌まり込んでカバーと共に現像部２２内の空気の流動を防ぎ、新たな外気が現像液に触れて炭酸ガスによる現像液の劣化が促進されること、及び現像液中の水分の蒸発が促進されることを防止している。


【手続補正１１】
【補正対象書類名】明細書
【補正対象項目名】００２９
【補正方法】変更
【補正の内容】
【００２９】
水洗部２４の下流側の不感脂化処理部であるフィニッシャー部２６には、一対の搬送ローラ５８が設けられている。搬送ローラ５３によって送り出されるＰＳ版１２は、この搬送ローラ５８へ案内されるようになっている。


【手続補正１２】
【補正対象書類名】明細書
【補正対象項目名】００３４
【補正方法】変更
【補正の内容】
【００３４】
この乾燥装置２５０には、排出口３６の近傍にＰＳ版１２を支持する支持ローラ２７０、乾燥装置２５０の搬送路中央部近傍及び排出口２５８の近傍にそれぞれＰＳ版１２を挟持して搬送力を付与する２対の搬送ローラ２５２、２５４が配設されている。なお、支持ローラ２７０及び中央部側の搬送ローラ２５２の軸直角断面形状は花形とされ、前記排出口２５８の近傍に設けられ吸湿性の不織布を巻き付けたモルトンローラ２５４と共に回転駆動される。


【手続補正１３】
【補正対象書類名】明細書
【補正対象項目名】００３６
【補正方法】変更
【補正の内容】
【００３６】
これにより、フィニッシャー部２６での処理が終了し、排出口３６から排出されたＰＳ版１２は、乾燥装置２５０内へ挿入されることになる。なお、この乾燥装置１５０は、フィニッシャー部２６までのプロセス部と分離可能としてもよい。また、排出口３６には、シャッター２７２が設けられている。
前記支持ローラ２７０と搬送ローラ２５２との間、並びに搬送ローラ２５２と搬送ローラ２５４との間には、それぞれＰＳ版に乾燥風を吹き付けるための２対のダクト２６０が配設されている。この２対のダクト２６０は、それぞれＰＳ版１２の搬送経路を挟んで対向配置されている。一方のダクト２６０は搬送経路の上側に位置しており、他方のダクト２６０は搬送経路の下側に位置している。


【手続補正１４】
【補正対象書類名】明細書
【補正対象項目名】００３７
【補正方法】変更
【補正の内容】
【００３７】
ダクト２６０は、その長手方向がＰＳ版１２の幅方向に沿って配設されており、それぞれＰＳ版１２との対向面は、ＰＳ版１２と平行とされている。この対向面には、長手方向に沿ってスリット孔２６２が設けられ、ＰＳ版１２へ吹き付ける乾燥風の吹出口とされている。


【手続補正１５】
【補正対象書類名】明細書
【補正対象項目名】００３８
【補正方法】変更
【補正の内容】
【００３８】
前記ダクト２６０の一端面は乾燥風案内ダクト（図示省略）と連結されている。この乾燥風案内ダクトは、矩形の煙突型とされ、その下端部開口は、ブロワ（図示省略）の送風口に連結されている。これにより、ダクト２６０には、同量の乾燥風が導入されるようになっている。


【手続補正１６】
【補正対象書類名】明細書
【補正対象項目名】００４３
【補正方法】変更
【補正の内容】
【００４３】
ガイド板アッセンブリ２８０は、円弧状とされ、その内周面側に、ＰＳ版１２の搬送方向に沿って互いに平行かつ均一ピッチとされたリブ２８２が突出形成されている。このリブ２８２は、ＰＳ版１２を支持する役目を有しているが、通常はＰＳ版１２とは直接接触しない。すなわち、ＰＳ版１２が通常の搬送経路を逸脱して搬送された場合に、ガイド板アッセンブリ２８０の表面（内周面）に接触することを防止するために設けられている。なお、このリブ２８２は、超高分子ポリエチレン、テフロン（Ｒ）樹脂等で作製される。